(57)【要約】【課題】操作子の操作元側から水がかかってもスイッチ本体にはその水が浸入しにくく、それでいてスイッチ本体の操作も確実にできるスイッチ装置を提供する。【解決手段】スイッチ本体１９が操作子２１の操作先側に配置されるが、それより先方に向けて配置され、その先方から操作子２１の操作元側にボタン１９ａが押圧されることによって作動される。よって、操作子２１の操作元側から水がかかってもスイッチ本体１９にはその水が浸入しにくくできる。又、操作子２１の押圧操作は、スイッチ本体１９を越えてその先側で梃子１４に伝えられ、この梃子１４が、中間部に支点部（支軸１５）を有して、該支点部により動作方向を反転させた作用点部である一端部（凸部１４ａ）によりスイッチ本体１９のボタン１９ａを操作子２１の操作元側へ押圧して、スイッチ本体１９を作動させるので、スイッチ本体１９を確実に操作することができる。【選択図】図１
2012243406.tif 000002
【特許請求の範囲】
【請求項１】
押圧操作される操作子と、
この操作子の操作先側にそれより先方に向けて配置され、その先方から前記操作子の操作元側への押圧によって作動されるスイッチ本体と、
このスイッチ本体より前記操作子の操作先側に配置された梃子とを具備し、
その梃子が、前記操作子により力点部を押圧され、中間部に支点部を有して、該支点部により動作方向を反転させた作用点部により前記スイッチ本体を前記操作子の操作元側へ押圧して作動させるようにしたことを特徴とするスイッチ装置。
【請求項２】
操作子とスイッチ本体との間に、付加手段が配置されていることを特徴とする請求項１記載のスイッチ装置。
【発明の詳細な説明】
【技術分野】
【０００１】
本発明は、スイッチ本体を梃子によって作動させるスイッチ装置に関する。
【背景技術】
【０００２】
従来より、この種のスイッチ装置としては、例えば図５及び図６に示すものが存在する（特許文献１参照）。このものは、操作子１の押圧操作（矢印Ａ）を梃子２を介してスイッチ本体３に伝えることにより、該スイッチ本体３を作動させるもので、操作子１の中央部だけでなく周辺部を操作したときにも、スイッチ本体３に的確に操作を伝えることができて、スイッチ本体３を確実に作動させ得るものである。
【先行技術文献】
【特許文献】
【０００３】
【特許文献１】特開２００７−１７３０１５号公報
【発明の概要】
【発明が解決しようとする課題】
【０００４】
上記従来のものは、操作子１の操作先側のいわゆる直下位置や直後位置に梃子２が存在し、更にその操作先側にスイッチ本体３が存在する構成であり、スイッチ本体３は、操作子１の操作元側（図では上方）に向けて配置され、その操作元側から操作先側に梃子２によって押圧されることにより作動されるようになっている。
このため、操作子１の操作元側から水がかかると、その水が操作子１の周辺部や梃子２を経てスイッチ本体３に浸入しやすいという問題点を有していた。
【０００５】
本発明は上述の事情に鑑みてなされたものであり、従ってその目的は、操作子の操作元側から水がかかってもスイッチ本体にはその水が浸入しにくく、それでいてスイッチ本体の操作も確実にできるスイッチ装置を提供するにある。
【課題を解決するための手段】
【０００６】
上記目的を達成するために、本発明のスイッチ装置は、押圧操作される操作子と、この操作子の操作先側にそれより先方に向けて配置され、その先方から前記操作子の操作元側への押圧によって作動されるスイッチ本体と、このスイッチ本体より前記操作子の操作先側に配置された梃子とを具備し、その梃子が、前記操作子により力点部を押圧され、中間部に支点部を有して、該支点部により動作方向を反転させた作用点部により前記スイッチ本体を前記操作子の操作元側へ押圧して作動させるようにしたことを特徴とする（請求項１の発明）。
【発明の効果】
【０００７】
上記手段によれば、スイッチ本体は操作子の操作先側に配置されるが、それより先方に向けて配置され、その先方から操作子の操作元側への押圧によって作動されるものであるから、操作子の操作元側から水がかかってもスイッチ本体にはその水が浸入しにくくできる。
又、操作子の押圧操作は、スイッチ本体を越えてその先側で梃子に伝えられ、この梃子が、中間部に支点部を有して、該支点部により動作方向を反転させた作用点部によりスイッチ本体を操作子の操作元側へ押圧して作動させるので、スイッチ本体を確実に操作することができる。
【図面の簡単な説明】
【０００８】
【図１】本発明の第１実施例を示す操作前状態の断面図
【図２】操作後状態の断面図
【図３】本発明の第２実施例を示す主要部分の平面図
【図４】本発明の第３実施例を示す図３相当図
【図５】従来例を示す図１相当図
【図６】図２相当図
【発明を実施するための形態】
【０００９】
以下、本発明の第１実施例（第１の実施形態）につき、図１及び図２を参照して説明する。
まず、図１は、スイッチ装置の全体を操作前の状態で示しており、外殻をケース１１で構成している。このケース１１は、直方体状で、上面のほゞ全域に開口部１２を有している。
ケース１１の内底部には、梃子支持部１３を２個左右対称的に形成しており、この両梃子支持部１３に、梃子１４の中間部をそれぞれ支軸１５によって上下回動可能に取付けている。
【００１０】
ケース１１の内底部には又、基板支持部１６を２個左右対称的に形成しており、この基板支持部１６は上記梃子支持部１３より高さが大きく、その両上端部に基板１７を渡してそれぞれねじ１８により取付けている。基板１７は、この場合、上下の表裏両面に導電回路を有する回路基板であり、その下面（裏面）の中央部にスイッチ本体１９を実装し、上面（表面）に表示器２０を実装している。
【００１１】
このうち、スイッチ本体１９は、例えばタクトスイッチであり、ボタン１９ａが押し込み操作されることでオン作動又はオフ作動するもので、このスイッチ本体１９を、ボタン１９ａが下方を指向する下向き状態で上記基板１７の下面に実装している。これに対して、前記梃子１４はそれぞれケース１１中央側の一端部に上方への凸部１４ａを有し、この凸部１４ａの両頂部を上記スイッチ本体１９のボタン１９ａに下方より当接させている。
一方、表示器２０は、例えば、次に述べる操作子２１の操作に係る表示又はスイッチ本体１９の作動に係る表示をするもので、例えばＬＣＤ（液晶ディスプレイ）等であり、表示手段であって、付加手段である。
【００１２】
操作子２１は、ケース１１内の最上部である表示器２０上に主部２１ａを位置させ、その主部２１ａから押圧部である脚部２１ｂがケース１１の左右両内側面に沿い下方まで延びて存在するもので、その両脚部２１ｂの下端部は梃子１４の他端部１４ｂ上に達している。
又、この操作子２１は、図２に矢印Ａで示すように上方から下方へ押圧操作されるものであり、その操作先側に表示器２０が配置され、この表示器２０より更に操作先側にスイッチ本体１９が先方に向けて配置され、このスイッチ本体１９より更に操作先側に梃子１４が配置されている。
【００１３】
更に、スイッチ本体１９は、それが配置された部分より先方から操作子２１の操作元側にボタン１９ａが押圧されることによって作動されるようになっており、そして、操作子２１とスイッチ本体１９との間に、表示器２０（付加手段）が配置されている
なお、操作子２１は、少なくとも表示器２０と対向する部分が表示器２０を視認することが可能な例えば透明材から成っている。
【００１４】
次に、上記構成のものの作用を述べる。
図１に示した状態から、今、操作子２１を図２に矢印Ａで示したように押圧操作すると、両脚部２１ｂの下端部により両梃子１４の他端部１４ｂが押圧される。従って、両梃子１４の他端部１４ｂは力点部であり、その力点部を押圧された両梃子１４は、支点部である中間部（支軸１５）を中心に回動し、作用点部である一端部（凸部１４ａ）の動作方向を反転させてスイッチ本体１９のボタン１９ａを操作子２１の操作元側に押し込む。かくして、スイッチ本体１９がオン作動又はオフ作動する。なお、スイッチ本体１９はひとつのオン状態から異なる他のオン状態へと切り換わり作動するものであっても良い。
【００１５】
又、上述の作動状態から、操作子２１の押圧操作を解除すると、スイッチ本体１９の、ボタン１９ａを戻す復元力により、両梃子１４から操作子２１が戻され、原状態に復帰する。
更に、上述の作動と呼応して、あるいはそれとは無関係に、表示器２０は表示作動をし、その表示作動が操作子２１を透して視認される。
【００１６】
このように上記構成のものでは、スイッチ本体１９は操作子２１の操作先側に配置されるが、それより先方に向けて配置されており、その先方から操作子２１の操作元側にボタン１９ａが押圧されることによって作動されるものであるから、操作子２１の操作元側から水がかかってもスイッチ本体１９にはその水が浸入しにくくできる。
【００１７】
又、操作子２１の押圧操作は、スイッチ本体１９を越えてその先側で梃子１４に伝えられ、この梃子１４が、中間部に支点部（支軸１５）を有して、該支点部により動作方向を反転させた作用点部である一端部（凸部１４ａ）によりスイッチ本体１９のボタン１９ａを操作子２１の操作元側へ押圧して、スイッチ本体１９を作動させるので、スイッチ本体１９を確実に操作することができる。
【００１８】
加えて、上記構成のものでは、操作子２１とスイッチ本体１９との間に、表示器２０（付加手段）を配置している。この点について、先の図５及び図６に示した従来のものは、操作子１の操作先側のいわゆる直下位置や直後位置に梃子２が存在し、更にその操作先側にスイッチ本体３が存在する構成であるため、表示器を操作子１の直下位置や直後位置に設ける要望があっても、それを設ければ、操作子１で梃子２を押圧することが表示器に阻害されてできなくなるため、設けることができず、表示器による表示機能を得ることができなかった。
【００１９】
それに対して、上記構成のものでは、操作子２１の押圧操作は、表示器２０を越えてその先側で梃子１４に伝えられ、スイッチ本体１９を作動させるものであり、操作子２１で梃子１４を押圧することが表示器２０に阻害されずにできて、操作子２１の直下位置や直後位置、すなわち、操作子２１とスイッチ本体１９との間に表示器２０を設けることができ、表示器２０による表示機能を所望に得ることができる。
【００２０】
なお、操作子２１は、主部２１ａが透明材から成るものに限られず、不透明材から成っていて、その一部を切除することで表示器２０を視認できるものとしても良い。
又、表示器２０で例示した付加手段は、操作子２１を透過照明するランプ等の照明手段であっても良く、そのほか、操作子２１を押圧操作したときに操作子２１に振動を与えるバイブレータや、操作子２１を押圧操作したときにそれを検知する近接スイッチ等であっても良い。
【００２１】
更に、梃子１４は、操作子２１によって押圧される力点部の位置次第で作用点部のストロークを変化させ得るものであり、スイッチ本体１９を作動させるその作用点部のストロークを一定にして、力点部を押圧する操作子２１の操作ストロークを調整することが可能である。すなわち、操作子２１の操作ストロークを変えてスイッチ本体１９を作動させる調整が可能である。
又、梃子１４は、上記構成のもののように両側にあることで、スイッチ本体１９の作動をより確実且つ安定して行わしめ得る利点を有するが、それに限られず、片側にのみあるものでも良い。
【００２２】
以上に対して、図３及び図４は本発明の第２及び第３実施例（第２及び第３の実施形態）を示すもので、それぞれ、第１実施例と同一の部分には同一の符号を付して説明を省略し、異なる部分についてのみ述べる。
【００２３】
［第２実施例］
図３に示す第２実施例においては、操作子２１が平面四角形で、それの中央部に対応して配置したスイッチ本体１９に対し、４本の梃子１４を、それぞれ操作子２１の四隅部と対応する箇所からスイッチ本体１９のボタン１９ａに向けて配置している。
【００２４】
［第３実施例］
図４に示す第３実施例においては、操作子２１が円形で、それの中央部に対応して配置したスイッチ本体１９に対し、８本の梃子１４を、それぞれ操作子２１の周縁部と対応する箇所からスイッチ本体１９のボタン１９ａに向けて、均等に配置している。
【００２５】
これらのように、梃子１４の個数は、操作子２１の形状によって種々定めることが好ましい。
このほか、本発明は上記し且つ図面に示した実施例にのみ限定されるものではなく、要旨を逸脱しない範囲内で適宜変更して実施し得る。
【符号の説明】
【００２６】
図面中、１４は梃子、１４ａは凸部（作用点部）、１４ｂは他端部（力点部）、１５は支軸（支点部）、１９はスイッチ本体、２０は表示器（付加手段）、２１は操作子を示す。
【図１】
2012243406.tif 000003
【図２】
2012243406.tif 000004
【図３】
2012243406.tif 000005
【図４】
2012243406.tif 000006
【図５】
2012243406.tif 000007
【図６】
2012243406.tif 000008